(57)【要約】  第１パネル（４１）と第２パネル（４２）とを含むパネルのセットが提供される。第１及び第２パネルは、第１、第２及び第３縁部を有する。第１パネル（４１）の第１縁部は、第２パネル（２）の第２縁部（２）及び第３縁部の両方に係止可能であるように構成される。第１縁部は、水平方向の係止を目的として第２縁部（２）の第１係止溝及び第３縁部の第２係止溝（６）協働可能であるように構成された第１係止要素（４）を含む。第１縁部は、垂直方向の係止を目的として第２縁部（２）の舌部（８）及び第３縁部の舌部（９）と協働するように構成された舌部溝（７）を含む。第１係止要素は、水平方向及び垂直方向の係止を目的として第１係止溝（５）の第２係止面（１１）と協働するように構成された第１係止面を含む。第１係止要素は、水平方向の係止を目的として第２係止溝（６）の第４係止面（１３）と協働するように構成された第３係止面（１２）を備える。
2021509456.tif 000002
【特許請求の範囲】
【請求項１】
第１パネル（４１）と第２パネル（４２）とを備えたパネルのセットであって、前記第１パネル（４１）及び前記第２パネル（４２）のそれぞれは、第１縁部（１）と、第２縁部（２）と、第３縁部（３）と、を有し、前記第１パネル（４１）の前記第１縁部（１）は、前記第２パネル（４２）の前記第２縁部（２）及び前記第３縁部（３）の両方にそれぞれ係止可能であるように構成され、
前記第１縁部（１）は、水平方向の係止を目的として前記第２縁部（２）の第１係止溝（５）及び前記第３縁部（３）の第２係止溝（６）とそれぞれ協働可能であるように構成された第１係止要素（４）を備え、
前記第１縁部（１）は、垂直方向の係止を目的として前記第２縁部（２）の舌部（８）及び前記第３縁部（３）の舌部（９）とそれぞれ協働するように構成された舌部溝（７）を更に備える、パネルのセットにおいて、
前記第１係止要素（４）は、水平方向及び垂直方向の係止を目的として前記第１係止溝（５）の第２係止面（１１）と協働するように構成された第１係止面（１０）を備え、
前記第１係止要素（４）は、水平方向の係止を目的として前記第２係止溝（６）の第４係止面（１３）と協働するように構成された第３係止面（１２）を備える、
ことを特徴とするパネルのセット。
【請求項２】
前記第１縁部（１）の上部は第１案内面（１４）を備え、前記第２縁部（２）の前記舌部（８）の下方縁部は第２案内面（１５）を備え、これらは、前記第２縁部（２）を前記第１縁部（１）に組み付けるように前記第２縁部（２）を前記第１縁部（１）に対して垂直方向に変位させる工程（２７）に際して協働するように構成される、
請求項１に記載のパネルのセット。
【請求項３】
前記第２縁部（２）の前記舌部（８）は、垂直方向の係止を目的として前記舌部溝（７）の上方リップ（２６）の下方係止面（１７）と協働するように構成された上方係止面（１６）を備える、
請求項１又は２に記載のパネルのセット。
【請求項４】
前記第１係止要素（４）の上部は第３案内面（１８）を備え、前記第１係止溝（５）の下方縁部は第４案内面（１９）を備え、これらは、前記第２縁部（２）を前記第１縁部（１）に組み付けるように前記第２縁部（２）を前記第１縁部（１）に対して垂直方向に変位させる前記工程（２７）に際して協働するように構成される、
請求項１乃至３のいずれかに記載のパネルのセット。
【請求項５】
前記舌部（９）は、垂直方向の係止を目的として前記舌部溝（７）の前記上方リップ（２６）の前記下方係止面（１７）と協働するように構成された上方係止面（２０）を備える、
請求項１乃至４のいずれか一項に記載のパネルのセット。
【請求項６】
前記第１係止面（１０）と前記第３係止面（１２）との間の角度（３１）は、約５°乃至約３０°の範囲、好適には約１０°乃至約２５°の範囲にある、又は好適には約１７°である、
請求項１乃至５のいずれか一項に記載のパネルのセット。
【請求項７】
前記第３係止面（１２）と前記第３案内面（１８）との間の角度（３２）は、約１０°乃至約４０°の範囲、好適には約２０°乃至約３０°の範囲にある、又は好適には約２５°である、
請求項４乃至６のいずれか一項に記載のパネルのセット。
【請求項８】
前記第２縁部（２）は第２係止要素（２２）を備え、前記第１縁部（１）は第３係止溝（２５）を備え、
前記第２係止要素及び前記第３係止溝は、水平方向の係止を目的として協働するように構成される、
請求項１乃至７のいずれか一項に記載のパネルのセット。
【請求項９】
前記第３縁部（３）は、水平方向の係止を目的として前記第３係止溝（２５）と協働するように構成された第３係止要素（２４）を備える、
請求項１乃至８のいずれか一項に記載のパネルのセット。
【請求項１０】
前記第２縁部（２）の長さは、前記第１縁部（１）の長さより短い、
請求項１乃至９のいずれか一項に記載のパネルのセット。
【請求項１１】
前記第２パネル（４２）の前記第２縁部（２）は、前記第１パネル（４１）の前記第１縁部（１）に垂直方向に接続される、
請求項１乃至１０のいずれか一項に記載のパネルのセット。
【請求項１２】
前記第１パネル（４１）は、時計回りの方向に、前記第１縁部（１）と、前記第１縁部（１）と、前記第２縁部（２）と、前記第３縁部（３）と、を備える、
請求項１乃至１１のいずれか一項に記載のパネルのセット。
【請求項１３】
前記第２パネル（４２）は、時計回りの方向に、前記第２縁部（２）と、前記第１縁部（１）と、前記第１縁部（１）と、前記第３縁部（３）と、を備える、
請求項１乃至１２のいずれか一項に記載のパネルのセット。
【請求項１４】
前記第３縁部（３）は、前記第１縁部（１）に角度を付けた動作により組み付けられるように構成される、
請求項１乃至１３のいずれか一項に記載のパネルのセット。
【発明の詳細な説明】
【技術分野】
【０００１】
本開示は、互いに係止されるように構成された床板等のパネルに関する。
【背景技術】
【０００２】
垂直に変位させることにより組み付けられ、垂直方向及び水平方向に係止されるように構成されたパネルが知られている。このようなパネルは、例えば、ＷＯ２０１４／１８２２１５号に開示されている。さねはぎ継ぎにより、第１パネルの第１縁部が第２パネルの第２縁部に係止される。また、第１縁部及び第２縁部は、垂直方向及び水平方向の係止を目的として係止溝と協働するように構成された係止要素を含んでいる。
【０００３】
ＷＯ２００５／０９８１６３号は、２つの異なる係止要素を備えたパネル要素に関する。しかしながら、このタイプのパネルでは、２つのパネル同士の接合部を長くする必要があるため、このタイプのパネルの製造時に多量のパネル材料が無駄になるという欠点がある。
【０００４】
本発明の実施形態は、パネルをより簡単に組み付ける、及び／又はパネルの係止強度を向上させるという必要性に対処するものであって、更にこれらのパネルは、ヘリンボーンパターン等の高度なパターンでの敷設を可能にする。
【発明の概要】
【０００５】
本発明の少なくとも特定の実施形態の目的は、上述の技術及び既知の技術に対する改善を提供することである。
【０００６】
本発明の少なくとも特定の実施形態の更なる目的は、垂直変位又は角度を付けた動作により組み付けられ、垂直方向及び水平方向に係止されるように構成されたパネルの組付を容易とすることである。
【０００７】
本発明の少なくとも特定の実施形態の更なる目的は、単独の係止要素でありながら２つの異なる係止面を提供する係止要素を備えるパネルを提供することであり、これによりパネル同士のよりコンパクトな接合が可能となり、無駄になるパネル材料の量が削減される。
【０００８】
本発明の少なくとも特定の実施形態の更なる目的は、互いに係止可能であるように構成されたパネルであって、パネルの長縁部同士が係止され得る、又は短縁部同士が係止され得るばかりでなく、短縁部と長縁部とが係止され得るパネルを提供することであり、これにより、例えばヘリンボーンパターン等の高度なパターンでの敷設が可能になる。
【０００９】
説明から明らかになるであろうこれら及びその他の目的や利点のうちの少なくとも一部が、第１パネルと第２パネルとを含むパネルのセットであって、前記第１及び第２パネルは第１、第２及び第３縁部を有するパネルのセットを備えた本発明の第１態様により達成された。前記第１パネルの前記第１縁部は、前記第２パネルの前記第２縁部及び前記第３縁部の両方にそれぞれ係止可能であるように構成される。前記第１縁部は、水平方向の係止を目的として前記第２縁部の第１係止溝及び前記第３縁部の第２係止溝とそれぞれ協働可能であるように構成された第１係止要素を備える。前記第１縁部は、垂直方向の係止を目的として前記第２縁部の舌部及び前記第３縁部の舌部とそれぞれ協働するように構成された舌部溝を更に備える。前記第１係止要素は、水平方向及び垂直方向の係止を目的として前記第１係止溝の第２係止面と協働するように構成された第１係止面を備える。前記第１係止要素は、水平方向の係止を目的として前記第２係止溝の第４係止面と協働するように構成された第３係止面を備える。
【００１０】
前記第１縁部の上部は第１案内面を備え得るとともに、前記第２縁部の前記舌部の下方縁部は第２案内面を備え得る。これらは、前記第２縁部を前記第１縁部に組み付けるように前記第２縁部を前記第１縁部に対して垂直方向に変位させる工程に際して協働するように構成される。
【００１１】
前記第２縁部の前記舌部は、垂直方向の係止を目的として前記第１縁部の前記舌部溝の上方リップの下方係止面と協働するように構成された上方係止面を備え得る。
【００１２】
前記第１係止要素の上部は第３案内面を備え得るとともに、前記第１係止溝の下方縁部は第４案内面を備え得る。これらは、前記第２縁部を前記第１縁部に組み付けるように前記第２縁部を前記第１縁部に対して垂直方向に変位させる前記工程に際して協働するように構成される。
【００１３】
前記第３縁部の前記舌部は、垂直方向の係止を目的として前記第１縁部の前記舌部溝の前記上方リップの前記下方係止面と協働するように構成された上方係止面を備え得る。
【００１４】
前記第１係止面と前記第３係止面との間の角度は、好適には約５°乃至約３０°の範囲、好適には約１０°乃至約２５°の範囲にある、又は好適には約１７°である。
【００１５】
前記第３係止面と前記第３案内面との間の角度は、好適には約１０°乃至約４０°の範囲、好適には約２０°乃至約３０°の範囲にある、又は好適には約２５°である。
【００１６】
前記第２縁部は第２係止要素を備え得るとともに、前記第１縁部は第３係止溝を備え得る。これらは、水平方向の係止を目的として協働するように構成される。
【００１７】
前記第３縁部は、水平方向の係止を目的として前記第３係止溝と協働するように構成された第３係止要素を備え得る。
【００１８】
前記第２縁部の長さは、前記第１縁部の長さより短い。
前記第２パネルの前記第２縁部は、前記第１パネルの前記第１縁部に垂直方向に接続され得る。
【００１９】
前記第１パネルは、時計回りの方向に、前記第１縁部と、前記第１縁部と、前記第２縁部と、前記第３縁部と、を備え得る。
【００２０】
前記第２パネルは、時計回りの方向に、前記第２縁部と、前記第１縁部と、前記第１縁部と、前記第３縁部と、を備え得る。
【００２１】
前記第３縁部は、前記第１縁部に角度を付けた動作により組み付けられるように構成され得る。
【００２２】
第１及び第２パネルの第１、第２及び第３縁部は、好適には、フライス加工等の機械的切削加工により製造される。
【００２３】
係止面及び案内面は、第１パネル及び／又は第２パネルのコア材料から構成され得る。
【００２４】
第１パネル及び第２パネルは、弾性パネルであり得る。弾性パネルは、熱可塑性材料から構成されるコアを備え得る。熱可塑性材料は、発泡させてもよい。
【００２５】
熱可塑性材料には、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニルブチラール、ポリブチレン・テレフタレート、又はこれらの組み合わせが含まれ得る。コアは、複数の層から形成され得る。
【００２６】
第１及び第２パネルは、熱可塑性材料を有する装飾箔等の装飾層を備え得る。装飾層の熱可塑性材料には、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニルブチラール、ポリブチレン・テレフタレート、又はこれらの組み合わせが含まれ得る。好適には、装飾箔は、例えば、直接印刷、グラビア印刷、又はデジタル印刷により印刷される。
【００２７】
第１パネル及び第２パネルは、フィルム又は箔等の摩耗層を備え得る。摩耗層は、熱可塑性材料を有し得る。熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニルブチラール、ポリブチレン・テレフタレート、又はこれらの組み合わせであり得る。
【００２８】
本発明の実施形態は、高い摩擦を有する案内面と、弾性の低い熱可塑性材料から構成される舌部と、を備えるパネルに対して特に有利であり得る。
【００２９】
第１及び第２パネルは、ＨＤＦ、ＭＤＦ、又は合板等の木材ベースのコアを備え得る。
【００３０】
第１パネル及び第２パネルは、第１パネル及び／又は第２パネルを下方に回転させることで分解されるように構成され得る。
【００３１】
本発明の実施形態が可能とするこれらの及び他の態様、特徴及び利点は、添付図面を参照してなされる本発明の実施形態の以下の説明から明らかとなるであろう。
【図面の簡単な説明】
【００３２】
【図１Ａ】本発明によるパネルのセットの実施形態の組付の実施形態を示す図であって、第１パネルの第１縁部と第２パネルの第２縁部とが組み付けられている図。
【図１Ｂ】本発明によるパネルのセットの実施形態の組付の実施形態を示す図であって、第１パネルの第１縁部と第２パネルの第２縁部とが組み付けられている図。
【図１Ｃ】本発明によるパネルのセットの実施形態の組付の実施形態を示す図であって、第１パネルの第１縁部と第２パネルの第２縁部とが組み付けられている図。
【図２Ａ】本発明によるパネルのセットの実施形態の組付の実施形態を示す図であって、第１パネルの第１縁部と第２パネルの第３縁部とが組み付けられている図。
【図２Ｂ】本発明によるパネルのセットの実施形態の組付の実施形態を示す図であって、第１パネルの第１縁部と第２パネルの第３縁部とが組み付けられている図。
【図２Ｃ】本発明によるパネルのセットの実施形態の組付の実施形態を示す図であって、第１パネルの第１縁部と第２パネルの第３縁部とが組み付けられている図。
【図３Ａ】右方の縁部から時計周りの方向に、第２縁部、第１縁部、第１縁部、及び第３縁部を備える、本発明による第１パネルの実施形態を示す図。
【図３Ｂ】右方の縁部から時計周りの方向に、第２縁部、第１縁部、第１縁部、及び第３縁部を備える、本発明による第２パネルの実施形態を示す図。
【図４Ａ】パネルがヘリンボーンパターンで組み付けられた本発明によるパネルのセットの実施形態を示す図。
【図４Ｂ】パネルがヘリンボーンパターンで組み付けられた本発明によるパネルのセットの実施形態を示す図。
【図５Ａ】本発明によるパネルがモジュラーパターンで、すなわち互いに平行に組み付けられた実施形態を示す図。パネルをモジュラーパターンで組み付ける場合、複数の第１パネルのみ又は複数の第２パネルのみ互いに接続されることになる。
【図５Ｂ】本発明によるパネルがモジュラーパターンで、すなわち互いに平行に組み付けられた実施形態を示す図。パネルをモジュラーパターンで組み付ける場合、複数の第１パネルのみ又は複数の第２パネルのみ互いに接続されることになる。
【図６Ａ】第１係止要素の拡大図であって、第１係止要素の異なる面同士の間の角度、及び第１係止要素の面と第１又は第２パネルの上面との間の角度も示す図。
【図６Ｂ】第１係止要素の拡大図であって、第１係止要素の異なる面同士の間の角度、及び第１係止要素の面と第１又は第２パネルの上面との間の角度も示す図。
【図６Ｃ】第１係止要素の拡大図であって、第１係止要素の異なる面同士の間の角度、及び第１係止要素の面と第１又は第２パネルの上面との間の角度も示す図。
【図６Ｄ】第１係止要素の拡大図であって、第１係止要素の異なる面同士の間の角度、及び第１係止要素の面と第１又は第２パネルの上面との間の角度も示す図。
【図６Ｅ】第１係止要素の拡大図であって、第１係止要素の異なる面同士の間の角度、及び第１係止要素の面と第１又は第２パネルの上面との間の角度も示す図。
【発明を実施するための形態】
【００３３】
本発明の特定の実施形態を、添付図面を参照して説明する。しかしながら、本発明は、多くの異なる形態において具現化され得るものであって、本明細書に寄生される実施形態に限定されると解釈されるべきではない。むしろ、これらの実施形態は、本開示が完璧且つ完全であり、本発明の範囲を当業者に十分に伝達するように提供される。添付図面に示す実施形態の詳細な説明において使用される用語は、本発明を限定することを意図したものではない。図面において、同様の符号は同様の要素を指す。本明細書において、「約」という単語が数値に関して使用される場合、この数値は、記載された数値に関して±１０％の許容差を含むことが意図されている。
【００３４】
組み付け中の本発明の実施形態を図１Ａ乃至１Ｃに示す。本実施形態は、図３Ａ及び３Ｂに示すように、第１パネル４１と第２パネル４２とを備えるパネルのセットを備えている。第１パネル４１の第１縁部１と第２パネル４２の第２縁部２とは、第１パネル４１の第１縁部１に対して第２パネル４２の第２縁部２を垂直に変位させる工程２７により、互いに係止されて組み付けられるように構成されている。
【００３５】
第１縁部１は、水平方向の係止を目的として第２縁部２の第１係止溝５と協働可能であるように構成された第１係止要素４を備えている。また、第１縁部１は、垂直方向の係止を目的として第２縁部の舌部８と協働するように構成された舌部溝７を備えている。更に、第１係止要素４は、水平方向及び垂直方向の係止を目的として第１係止溝５の第２係止面１１と協働するように構成された第１係止面１０を備えている。
【００３６】
第１係止面１０は、第２係止面１１に対して平行、又は本質的に平行であり得る。
【００３７】
第１案内面１４が、第１縁部１の上部に含まれ得る。この第１案内面１４は、垂直変位工程２７の際に、舌部８の下方縁部の第２案内面１５と協働する。
【００３８】
第２縁部２の舌部８は、垂直方向の係止を目的として舌部溝７の上方リップ２６の下方係止面１７と協働するように構成された上方係止面１６を備え得る。
【００３９】
係止要素４は第３案内面１８を備え得るとともに、係止溝５は第４案内面１９を備え得る。これらの特徴部は、図１Ｂに示すように、第２縁部２を第１縁部１に組み付けるように第２縁部２を第１縁部に対して垂直方向に変位させる工程２７に際して協働するように構成されている。
【００４０】
第１案内面１４は、第２案内面１５に対して平行、又は本質的に平行であり得る。
【００４１】
第３案内面１８は、第４案内面１９に対して平行、又は本質的に平行であり得る。
【００４２】
第１及び第２案内面１４、１５は、垂直変位工程の際に、第３及び第４案内面１８、１９より前に協働するように構成されている。
【００４３】
第２縁部２は第２係止要素２２を備え得るとともに、第１縁部１は第３係止溝２５を備え得る。それらは、水平方向の係止を目的として協働するように構成されている。
【００４４】
上方係止面１６は、第２案内面１５の上方に配置されている。
【００４５】
第１係止面１０は、第３案内面１８の下方に配置されている。
【００４６】
図１Ｃに、第１縁部１と第２縁部２との係止状態を示す。第１縁部１と第２縁部２とは、垂直変位工程２７により組み付けられ得る。
【００４７】
第２縁部２は、第２縁部２の下側に下方溝２９を含み得る。この下方溝２９は、上方係止面１６と下方係止面１７とが非常に容易に係止可能となるように、第２縁部２が屈曲することを許容するスペースを提供し得る。
【００４８】
好適には、第２縁部２の長さは、第１縁部１の長さより短い。
【００４９】
垂直方向及び水平方向の係止部は、特に弾性材料からなる係止部を有するパネルの場合に有利である。複数の垂直方向係止部により、第１縁部１と第２縁部２とが外れて分離するリスクが減少され得る。
【００５０】
図２Ａ乃至２Ｃに、組み付け中の本発明の実施形態を示す。本実施形態は、第１パネル４１と第２パネル４２とを備えるパネルのセットを備えている。第１パネル４１の第１縁部１と第２パネル４２の第３縁部３とは、第２パネル４２の第３縁部３を第１パネル４１の第１縁部１に対して角度を付けて動作させることにより、互い係止されて組み付けられるように構成されている。
【００５１】
第１縁部１は、水平方向の係止を目的として第３縁部３の第２係止溝６と協働可能であるように構成された第１係止要素４を備えている。
【００５２】
また、第１縁部１は、垂直方向の係止を目的として、第３縁部３の舌部９と協働するように構成された舌部溝７を備えている。更に、第１係止要素４は、水平方向の係止を目的として第２係止溝６の第４係止面１３と協働するように構成された第３係止面１２を備えている。
【００５３】
第３係止面１２は、第４係止面１３に対して平行、又は本質的に平行であり得る。
【００５４】
舌部９は、垂直方向の係止を目的として舌部溝７の上方リップ２６の下方係止面１７と協働するように構成された上方係止面２０を備え得る。
【００５５】
第３縁部３は、水平方向の係止のを目的として第１縁部の第３係止溝２５と協働するように構成された第３係止要素２４を備え得る。
【００５６】
図２Ａ及び図２Ｃに示すように、第３縁部３は、第１縁部１に角度を付けた動作により組み付けられ得る。
【００５７】
上記の水平方向係止部は、特に弾性材料からなる係止部を有するパネルの場合に有利であり得る。複数の水平方向係止部により、第１縁部１と第３縁部３とが外れて分離するリスクが減少され得る。
【００５８】
図２Ｃに、第１縁部１と第３縁部３との係止状態を示す。
【００５９】
第１係止面１０は、第３係止面１２の下方に配置されている。
【００６０】
第３係止面１２は、第３案内面１８の下方に配置されている。
【００６１】
図６Ａ乃至６Ｅに、第１係止要素４の拡大図を示す。
【００６２】
第１係止面１０と第３係止面１２との間の角度３１は、約５°乃至約３０°の範囲、好適には約１０°乃至約２５°の範囲にあり得る、又は好適には約１７°であり得る。
【００６３】
第３係止面１２と第３案内面１８との間の角度３２は、約１０°乃至約４０°の範囲、好適には約２０°乃至約３０°の範囲にあり得る、又は好適には約２５°であり得る。
【００６４】
第１係止面１０と第１パネル４１又は第２パネル４２の上面との間の角度３３は、約７０°乃至約８５°の範囲、好適には約７５°乃至約８０°の範囲にあり得る、又は好適には約７７°であり得る。
【００６５】
第３係止面１２と第１パネル４１又は第２パネル４２の上面との間の角度３４は、約５０°乃至約８５°の範囲、好適には約６０°乃至約７５°の範囲にあり得る、又は好適には約６７°であり得る。
【００６６】
第３案内面１８と第１パネル４１又は第２パネル４２の上面との間の角度３５は、約２５°乃至約６０°の範囲、好適には約３５°乃至約５０°の範囲にあり得る、又は好適には約４２°であり得る。
【００６７】
本発明の実施形態によるパネルのセットは、複数の係止面によりパネルの高い係止強度を提供し得る。パネル上で動作する物体による力を受ける場合にも、パネル同士を好適に係止することは、パネルを定位置に保持するために重要であるかもしれない。
【００６８】
また、本発明の実施形態によるパネルのセットは、案内面があるため、既知のパネルのセットに比較して簡単に組み付けられ得る。特にパネル縁部が弾性の低い材料から構成される場合、好適な案内作用は、高い摩擦の表面を有するパネルを組み付けるために重要であるかもしれない。優れた案内作用がなくては、このようなパネルを組み付けることは困難になり得る。又は、パネル又はパネルの一部、例えば舌部が組付中に破損する可能性がある。また、本発明の実施形態によるパネルのセットは、パネル同士のよりコンパクトな接合を提供するため、無駄になるパネル材料の量が削減される。
【００６９】
本発明の実施形態によるパネルのセットは、種々のパターンで組み付けられ得る。一例は、図４Ａ及び４Ｂに示すように第１パネル４１及び第２パネル４２が組み付けられるヘリンボーンパターンである。パネルをヘリンボーンパターンで組み付ける場合、第２パネル４２の第２縁部２が、第１パネル４１の第１縁部に垂直に接続されることになる。
【００７０】
別の例は、図５Ａ及び５Ｂに示すようにパネルを互いに平行に組み付けるモジュラーパターンである。パネルをモジュラーパターンで組み付ける場合、複数の第１パネル４１同士、又は複数の第２パネル４２同士だけが、パネルの各列において互いに接続されることになる。パネルをモジュラーパターンで組み付ける場合、第１パネル４１の第１縁部１が第１パネル４１の第３縁部３に接続されるか、或いは第２パネル４２の第１縁部１が第２パネル４２の第３縁部３に接続される。
【００７１】
図３Ａに示すように、第１パネル４１は、時計回りの方向に、第１縁部１と、第１縁部１と、第２縁部２と、第３縁部３と、を備え得る。
【００７２】
図３Ｂに示すように、第２パネル４２は、時計周りの方向に、第２縁部２と、第１縁部１と、第１縁部１と、第３縁部３と、を備え得る。
【００７３】
第１パネル４１及び第２パネル４２は、約３ｍｍ乃至約１２ｍｍの範囲の厚さを有し得る。
【００７４】
上記の実施形態は、弾性パネルであり得る。弾性パネルは、熱可塑性材料から構成されるコアを備え得る。熱可塑性材料は、発泡させてもよい。
【００７５】
熱可塑性材料には、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニルブチラール、ポリブチレン・テレフタレート、又はこれらの組み合わせが含まれ得る。コアは、複数の層から形成され得る。
【００７６】
上述の実施形態は、熱可塑性材料から構成される装飾箔等の装飾層を備え得る。装飾層の熱可塑性材料には、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニルブチラール、ポリブチレン・テレフタレート、又はこれらの組み合わせが含まれ得る。好適には、装飾箔は、例えば、直接印刷、グラビア印刷、又はデジタル印刷により印刷される。
【００７７】
上述の実施形態は、フィルム又は箔等の摩耗層を備え得る。摩耗層は、熱可塑性材料から構成され得る。熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレン・テレフタレート（ＰＥＴ）、ポリアクリレート、メタクリレート、ポリカーボネート、ポリビニルブチラール、ポリブチレン・テレフタレート、又はこれらの組み合わせであり得る。
【００７８】
上述の実施形態は、ＨＤＦ、ＭＤＦ、又は合板等の木材ベースのコアを備え得る。
【００７９】
第１パネル及び第２パネルは、第１パネル及び／又は第２パネルを下方に回転させることで分解されるように構成され得る。
【図１Ａ】
2021509456.tif 000003
【図１Ｂ】
2021509456.tif 000004
【図１Ｃ】
2021509456.tif 000005
【図２Ａ】
2021509456.tif 000006
【図２Ｂ】
2021509456.tif 000007
【図２Ｃ】
2021509456.tif 000008
【図３Ａ】
2021509456.tif 000009
【図３Ｂ】
2021509456.tif 000010
【図４Ａ】
2021509456.tif 000011
【図４Ｂ】
2021509456.tif 000012
【図５Ａ】
2021509456.tif 000013
【図５Ｂ】
2021509456.tif 000014
【図６Ａ】
2021509456.tif 000015
【図６Ｂ】
2021509456.tif 000016
【図６Ｃ】
2021509456.tif 000017
【図６Ｄ】
2021509456.tif 000018
【図６Ｅ】
2021509456.tif 000019
【国際調査報告】
2021509456.tif 000020
2021509456.tif 000021
2021509456.tif 000022
2021509456.tif 000023
2021509456.tif 000024